(57)【要約】      （修正有）【課題】床用目地プレートの両側部を外方から見えないようにし、落し物が床用目地プレートより外方へ転げ落ちるのを阻止でき、かつ雨水浸入を効率よく阻止できる渡り通路を提供する。【解決手段】両側部に上方へ突出する断面チャンネル状の渡り通路本体９と、渡り通路本体の先端部と対応する部位の他方の躯体に固定されたガイドレール１０と、先端部が渡り通路本体の先端部寄りの部位に左右方向にスライド移動可能に支持された床用目地プレート１４と、外方へ突出しながら、該床用目地プレートの両側部を覆うように下方に位置する一対のカバー体１５と、床用目地プレートの先端部をスライド移動可能に覆うカバープレートと、一対のカバー体をスライド移動可能に覆う一対のカバー１７と、伸縮あるいはスライド移動可能な一対の左右方向の手摺３２と、床用目地プレートと一体になって前後方向にスライド移動する可動手摺３６とで渡り通路を構成する。【選択図】図３
2014105534.tif 000002
【特許請求の範囲】
【請求項１】
一方の躯体より他方の躯体側へ突出し、該他方の躯体間に目地部を有するように配置され、両側部に上方へ突出する突出片を有する断面チャンネル状の渡り通路本体と、この渡り通路本体の先端部と対応する部位の目地部側の他方の躯体にほぼ水平に固定された前後方向にガイドするガイドレールと、このガイドレールに後端部が前後方向にスライド移動可能に支持され、先端部が前記渡り通路本体の先端部寄りの部位に左右方向にスライド移動可能に支持された床用目地プレートと、この床用目地プレートの両側部に一体あるいは固定的に設けられた上方へ突出し、かつ外方へ突出しながら、該床用目地プレートの両側部を覆うように下方に位置する一対のカバー体と、前記床用目地プレートの先端部をスライド移動可能に覆うカバープレートと、このカバープレートの両側部に一体あるいは固定的に設けられた、前記一対のカバー体をスライド移動可能に覆う一対のカバーと、この一対のカバーの上部に一端部が固定あるいはスライド移動可能に取付けられ、他端部が前記床用目地プレートの後部両側部に固定された伸縮あるいはスライド移動可能な一対の左右方向の手摺と、前記他方の躯体の目地部側の前記床用目地プレートの両側部に設けられた固定壁と、前記ガイドレールあるいは前記固定手摺に前後方向にスライド移動可能に支持された前記床用目地プレートと一体になって前後方向にスライド移動する一対の前後方向の可動手摺とからなることを特徴とする渡り通路。
【請求項２】
一対の左右方向の手摺は一対のカバーの上部に設置された戸袋状の一対の固定手摺と、この一対の固定手摺内に一端部がスライド移動可能に支持され、他端部が床用目地プレートの後端両側部に固定された一対の可動手摺とで構成されていることを特徴とする請求項１記載の渡り通路。
【請求項３】
一方の躯体と他方の躯体は左右の建物で、渡り通路本体は外部に設置された外部渡り通路本体であることを特徴とする請求項１、２いずれかに記載の渡り通路。
【発明の詳細な説明】
【技術分野】
【０００１】
本発明は目地部を介して設けられた左右の建物を行き来できるように接続したり、目地装置を介装した建物の一方の躯体と他方の躯体とを行き来できるように接続する渡り通路に関する。
【背景技術】
【０００２】
従来の渡り通路は、地震で左右の建物や躯体が異なる前後左右方向に揺れ動くと、その揺れ動きを吸収できるように平板状の床用目地プレートを前後左右方向に移動できるように設置されている。
このため、床用目地プレートの両側部は外部より見えるようになり、見苦しくなるという欠点があるとともに、真上にも渡り通路が設置されている場合、上部の渡り通路より落下する雨水が下部の渡り通路内に浸入するという欠点があり、かつ床用目地プレート上で落し物をすると、渡り通路より下方へ落下してしまうという欠点があった。
【先行技術文献】
【特許文献】
【０００３】
【特許文献１】特許第４８１４１５９号公報
【発明の概要】
【発明が解決しようとする課題】
【０００４】
本発明は以上のような従来の欠点に鑑み、床用目地プレートの両側部を外方から見えないようにして美観の向上を図ることができ、該床用目地プレート上に落し物をしても、落し物が床用目地プレートより外方へ転げ落ちるのを効率よく阻止でき、かつ下部階の渡り通路へ雨水が浸入するのを効率よく阻止できる渡り通路を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の躯体より他方の躯体側へ突出し、該他方の躯体間に目地部を有するように配置され、両側部に上方へ突出する突出片を有する断面チャンネル状の渡り通路本体と、この渡り通路本体の先端部と対応する部位の目地部側の他方の躯体にほぼ水平に固定された前後方向にガイドするガイドレールと、このガイドレールに後端部が前後方向にスライド移動可能に支持され、先端部が前記渡り通路本体の先端部寄りの部位に左右方向にスライド移動可能に支持された床用目地プレートと、この床用目地プレートの両側部に一体あるいは固定的に設けられた上方へ突出し、かつ外方へ突出しながら、該床用目地プレートの両側部を覆うように下方に位置する一対のカバー体と、前記床用目地プレートの先端部をスライド移動可能に覆うカバープレートと、このカバープレートの両側部に一体あるいは固定的に設けられた、前記一対のカバー体をスライド移動可能に覆う一対のカバーと、この一対のカバーの上部に一端部が固定あるいはスライド移動可能に取付けられ、他端部が前記床用目地プレートの後部両側部に固定された伸縮あるいはスライド移動可能な一対の左右方向の手摺と、前記他方の躯体の目地部側の前記床用目地プレートの両側部に設けられた固定壁と、前記ガイドレールあるいは前記固定手摺に前後方向にスライド移動可能に支持された前記床用目地プレートと一体になって前後方向にスライド移動する一対の前後方向の可動手摺とで渡り通路を構成している。
【発明の効果】
【０００７】
以上の説明から明らかなように、本発明にあっては次に列挙する効果が得られる。
（１）請求項１により、床用目地プレートの両側部に一体あるいは固定的に設けられた上方へ突出し、かつ外方へ突出しながら床用目地プレートの両側部を覆うように下方に位置する一対のカバー体を設けているので、床用目地プレートの両側部を外方から見えなくできる。
したがって、床用目地プレートの両側部が外方から見えるものと比べ、美観の向上を図ることができるとともに、渡り通路の側面をほぼ均一な厚さ寸法に見えるようにでき、渡り通路の美観の向上を図ることができる。
（２）前記（１）によって、渡り通路本体、床用目地プレートおよびカバープレートの両側部は上方へ突出あるいは上方へ突出する一対のカバー体や一対のカバーが一体あるいは固定的に設けられているため、渡り通路全体の床面は凹部状となるため、渡り通路上で落し物をしても、落し物が外方へ転げ落ちるのを効率よく阻止することができる。
（３）前記（１） によって、渡り通路の真下に渡り通路が設置されている場合、上部の渡り通路に本願発明が施されていると、下部の渡り通路内へ上部の渡り通路からの雨水の浸入を効率よく阻止することができる。
（４）前記（１） によって、一対のカバー体を設けた床用目地プレートおよび一対のカバーを設けたカバープレートを用いるだけでよいので、構造が簡単で、容易に設置することができる。
（５) 前記（１）によって、地震で異なる前後左右方向に揺れ動いても、床用目地プレート、一対の左右方向の手摺および一対の前後方向の手摺で渡り通路に開口部が生じることなく覆われた状態を保つので、安全に使用することができる。
（６）請求項２も前記（１）〜（５）と同様な効果が得られるとともに、一対の左右方向の手摺によって、地震時にも安全で、安心感が得られる。
（７）請求項３も前記（１) 〜（５)と同様な効果が得られる。
【図面の簡単な説明】
【０００８】
【図１】本発明を実施するための第１の形態の平面図。
【図２】本発明を実施するための第１の形態の正面図。
【図３】図１の３−３線に沿う断面図。
【図４】図１の４−４線に沿う断面図。
【図５】本発明を実施するための第１の形態の床用目地プレートの説明図。
【図６】本発明を実施するための第１の形態のカバープレートの説明図。
【図７】本発明を実施するための第１の形態の左右方向の手摺の説明図。
【図８】本発明を実施するための第１の形態の前後方向の手摺の説明図。
【図９】本発明を実施するための第１の形態の地震で目地部が狭くなった状態の動作説明図。
【図１０】本発明を実施するための第１の形態の地震で目地部が広くなった状態の動作説明図。
【図１１】本発明を実施するための第１の形態の地震で異なる前後方向に揺れ動いた状態の動作説明図。
【図１２】本発明を実施するための第２の形態の平面図。
【図１３】本発明を実施するための第２の形態の正面図。
【図１４】図１２の１４−１４線に沿う断面図。
【図１５】本発明を実施するための第３の形態の平面図。
【図１６】本発明を実施するための第３の形態の正面図。
【図１７】図１５の１７−１７線に沿う断面図。
【図１８】本発明を実施するための第４の形態の平面図。
【図１９】本発明を実施するための第４の形態の正面図。
【図２０】図１８の２０−２０線に沿う断面図。
【図２１】本発明を実施するための第４の形態のカバー体やカバーの説明図。
【発明を実施するための形態】
【０００９】
以下、図面に示す本発明を実施するための形態により、本発明を詳細に説明する。
【００１０】
図１ないし図１１に示す本発明を実施するための第１の形態において、１は目地部２を介して設けられた左右の建物である一方の躯体３と他方の躯体４とを接続する本発明の渡り通路で、この渡り通路１は前記一方の躯体３と他方の躯体４の上部位置を接続する上部渡り通路５と、この上部渡り通路５の真下に配置された下部渡り通路６とで構成されている。
【００１１】
前記上部渡り通路５と下部渡り通路６は前記一方の躯体３より他方の躯体４側へ突出し、該他方の躯体４間に目地部７を有するように配置され、両側部に上方へ突出する突出片８、８を有する断面チャンネル状の渡り通路本体９、９と、この渡り通路本体９、９の先端部と対応する部位の、前記目地部７側の他方の躯体４にほぼ水平となるように固定された前後方向にガイドするガイドレール１０、１０と、このガイドレール１０、１０に後端部が複数個のローラ１１、１１を介して前後方向にスライド移動可能に支持され、先端部が前記渡り通路本体９、９の先端部寄りの部位に形成された、前記目地部７の幅寸法Ｌの約２倍の幅寸法の凹部１２、１２内を複数個のローラ１３を介して左右方向にスライド移動可能に支持された床用目地プレート１４、１４と、この床用目地プレート１４、１４の両側部に一体あるいは固定的に設けられた上方へ突出し、かつ外方へ突出しながら、該床用目地プレート１４、１４の両側部を覆うように下方に位置する庇状となる一対のカバー体１５、１５、１５、１５と、前記床用目地プレート１４、１４の左右方向のスライド移動が可能で、かつ前記凹部１２、１２を覆うように前記渡り通路本体９、９に固定されたカバープレート１６、１６と、このカバープレート１６、１６の両側部に一体あるいは固定的に設けられた、前記一対のカバー体１５、１５、１５、１５をスライド移動可能に覆い、かつ前記渡り通路本体９、９の突出片８、８、８、８も覆うことができる一対のカバー１７、１７、１７、１７と、この一対のカバー１７、１７、１７、１７の上部に一端部が取付けられ、他端部が前記床用目地プレート１４、１４の後部両側部に固定された伸縮あるいは移動可能な、本実施の形態では移動可能な一対の左右方向の手摺１８、１８、１８、１８と、前記他方の躯体４の目地部７側の前記床用目地プレート１４、１４の両側部に、該床用目地プレート１４、１４部が開口部１９、１９となるように設けられた外壁あるいは手摺でなる固定壁２０、２０、２０、２０と、前記ガイドレール１０、１０あるいは前記固定壁２０、２０、２０、２０に一端部が前後方向にスライド移動するように支持され、他端部が前記床用目地プレート１４、１４の後部両側部に固定された格子状あるいはパネルを用いた一対の前後方向の可動手摺２１、２１、２１、２１とで構成されている。
【００１２】
前記一対のカバー体１５、１５は図５に示すように、前記床用目地プレート１４の両側部より上方へ折り曲げた側壁２２、２２と、この側壁２２、２２の上端部より外方へ突出するように折り曲げた上壁２３、２３と、この上壁２３、２３の前記突出片８、８の外側端部に位置する部位より外方へ突出しながら、前記床用目地プレート１４の両側部を覆えるように下方に位置するように傾斜面２４、２４および水切り部２５、２５を形成した庇本体２６、２６とで構成されている。
【００１３】
前記一対のカバー１７、１７は図６に示すように、前記カバープレート１６の両側部より上方へ折り曲げた側壁２７、２７と、この側壁２７、２７の上端部より外方へ突出するように折り曲げた上壁２８、２８と、この上壁２８、２８の前記突出片８、８の外側端部に位置する部位より外方へ突出しながら、前記床用目地プレート１４の両側部を覆えるように下方へ位置するように傾斜面２９、２９および水切り部３０、３０を形成した庇本体３１、３１とで構成されている。
【００１４】
前記一対の左右方向の手摺１８、１８は、前記カバープレート１６と一体成形された一対のカバー１７、１７の上壁２８、２８の上部に固定された、該カバープレート１６の長さ寸法とほぼ同じ長さ寸法の戸袋状の一対の固定手摺３２、３２と、この一対の固定手摺３２、３２内に設けられたレール３３、３３にスライド移動可能で、かつ先端部が該一対の固定手摺３２、３２の中央部に、ローラ３４、３４を介して位置し、他端部が前記床用目地プレート１４の後端両側部に固定された、支柱３５、３５に固定された一対の可動手摺３６、３６とで構成されている。
【００１５】
なお、この一対の可動手摺３６、３６は格子状に形成されたものや、フレームにパネルを取付けたものであってもよい。
【００１６】
上記構成の渡り通路１は、通常時には渡り通路本体９、カバープレート１６で先端部が覆われた床用目地プレート１４で一方の躯体３と他方の躯体４とが接続されるとともに、床用目地プレート１４の両側部は一対のカバー体１５、１５で覆われ、かつ該一対のカバー体１５、１５はカバープレート１６の両側部の一対のカバー１７、１７とスライド移動できるように接続されている。
【００１７】
このため、床用目地プレート１４の両側部は一対のカバー体１５、１５で覆われているため、外部から見えることなく、美観の向上を図ることができる。
【００１８】
また、一対のカバー体１５、１５および一対のカバー１７、１７によって真下に渡り通路６が設置されている場合、上部の渡り通路５の一対のカバー体１５、１５および一対のカバー１７、１７によって、雨水が真下の渡り通路６内へ浸入するのを効率よく阻止することができる。
【００１９】
さらに、床用目地プレート１４の両側部に一対のカバー体１５、１５が設けられるとともに、カバープレート１６の両側部も一対のカバー１７、１７が設けられ、凹部状となるように形成されているので、床用目地プレート１４やカバープレート１６上に物を落としても、該落し物が外方へ転げ落ちるのを、一対のカバー体１５、１５や一対のカバー１７、１７で阻止することができ、落し物の紛失を防止することができる。
【００２０】
地震で目地部７が狭くなると、図９に示すように一対の固定手摺３２、３２内に一対の可動手摺３６、３６が入り込むとともに、床用目地プレート１４および一対のカバー体１５、１５の先端部がカバープレート１６およびカバー１７、１７内へ入り込み、その揺れ動きを吸収するとともに、床用目地プレート１４の両側部が外部から見えないように侵入して、その揺れ動きを吸収する。
【００２１】
地震で目地部７が広くなると、図１０に示すように一対の固定手摺３２、３２より一対の可動手摺３６、３６が出てくるように移動し、床用目地プレート１４およびカバー体１５、１５が他方の躯体４と一体になって渡り通路本体９より離れるように移動するため、カバープレート１６およびカバー１７、１７との重なり合いが小さくなるように移動して、その揺れ動きを吸収するが、床用目地プレート１４の移動は一対のカバー体１５、１５と一体になって移動するため、床用目地プレート１４の両側部は一対のカバー体１５、１５によって覆われた状態となっている。
【００２２】
地震で一方の躯体３と他方の躯体４が異なる前後方向に、図１１に示すように動いた場合、床用目地プレート１４の後端部はガイドレール１０に沿って前後方向にスライド移動するとともに、一対の前後方向の可動手摺２１、２１も前後方向にスライド移動して固定壁２０、２０の開口１９部に生ずる隙間を一対の前後方向の可動手摺２１、２１で覆って、開口が生じるのを阻止して、安全に使用できる。
【００２３】
[発明を実施するための異なる形態]
次に、図１２ないし図２１に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２４】
図１２ないし図１４に示す本発明を実施するための第２の形態において、前記本発明を実施するための第１の形態と主に異なる点は、一方の躯体３側に一体あるいは固定的に設けた側壁３７、３７を有する渡り通路本体９Ａを用いた点で、このような渡り通路本体９Ａを用いた渡り通路１Ａにしても、前記本発明を実施するための第１の形態と同様な作用効果が得られる。
【００２５】
なお、前記外壁３７、３７の外側面にはカバープレート１６の一対のカバー１７、１７の端部と固定されたり、重なり合うカバー３８、３８を設けることにより、美観の向上を図ることができるとともに、真下の渡り通路６内へ雨水が浸入するのを阻止することができる。
【００２６】
図１５ないし図１７に示す本発明を実施するための第３の形態において、前記本発明を実施するための第１の形態と主に異なる点は、他方の躯体４に外側通路３９の外壁となる固定壁２０Ａを用いるとともに、工事現場や工場の入口部分に設置された伸縮する扇形状の伸縮リンク４０を用いた一対の左右方向の手摺１８Ａ、１８Ａを用いた点で、このように構成した渡り通路１Ｂにしても、前記本発明を実施するための第１の形態と同様な作用効果が得られる。
【００２７】
なお、前記一対の左右方向の手摺１８Ａ、１８Ａと同じ構造の一対の前後方向の手摺を用いても、同様な効果が得られる。
【００２８】
図１８ないし図２１に示す本発明を実施するための第４の形態において、前記本発明を実施するための第２の形態と主に異なる点は、地震でその揺れ動きを吸収することができる床用目地装置４１と壁面用目地装置４２が用いられた建物４３の、該床用目地装置４１を挟んで、一方の躯体３に形成した通路４４と他方の躯体４に形成した通路４５とを連通する部分に渡り通路１Ａを設けた点で、このような部位に設けた渡り通路１Ａを設けても、前記本発明を実施するための第２の形態と同様な作用効果が得られる。
なお、本発明の実施の形態では側壁３７、３７、一対の可動手摺３６、３６、一対の前後方向の可動手摺２１、２１および固定壁２０は、パネルや格子状のパネルを用いたものであってもよい。
【００２９】
また、一対のカバー体やカバーの形状は、図２１に示すような円弧状に形成した庇本体を用いたものであってもよい。
【産業上の利用可能性】
【００３０】
本発明は目地部を介して設けられた一方の躯体と他方の躯体とを行き来できるように接続する渡り通路を製造する産業で利用される。
【符号の説明】
【００３１】
１、１Ａ、１Ｂ：渡り通路、  ２：目地部、
３：一方の躯体、      ４：他方の躯体、
５：上部渡り通路、      ６：下部渡り通路、
７：目地部、        ８：突出片、
９、９Ａ：渡り通路本体、    １０：ガイドレール、
１１：ローラ、      １２：凹部、
１３：ローラ、      １４：床用目地プレート、
１５：カバー体、      １６：カバープレート、
１７：カバー、      
１８、１８Ａ：一対の左右方向の手摺、
１９：開口、        ２０、２０Ａ：固定壁、
２１：一対の前後方向の可動手摺、
２２：側壁、        ２３：上壁、
２４：傾斜面、      ２５：水切り部、
２６：庇本体、      ２７：側壁、
２８：上壁、        ２９：傾斜面、
３０：水切り部、      ３１：庇本体、
３２：固定手摺、      ３３：レール、
３４：ローラ、      ３５：支柱、
３６：可動手摺、      ３７：側壁、
３８：カバー、      ３９：外部通路、
４０：伸縮リンク、      ４１：床用目地装置、
４２：壁面用目地装置、    ４３：建物、
４４：通路、        ４５：通路。
【図１】
2014105534.tif 000003
【図２】
2014105534.tif 000004
【図３】
2014105534.tif 000005
【図４】
2014105534.tif 000006
【図５】
2014105534.tif 000007
【図６】
2014105534.tif 000008
【図７】
2014105534.tif 000009
【図８】
2014105534.tif 000010
【図９】
2014105534.tif 000011
【図１０】
2014105534.tif 000012
【図１１】
2014105534.tif 000013
【図１２】
2014105534.tif 000014
【図１３】
2014105534.tif 000015
【図１４】
2014105534.tif 000016
【図１５】
2014105534.tif 000017
【図１６】
2014105534.tif 000018
【図１７】
2014105534.tif 000019
【図１８】
2014105534.tif 000020
【図１９】
2014105534.tif 000021
【図２０】
2014105534.tif 000022
【図２１】
2014105534.tif 000023